(57)【要約】【課題】  付着性流体を確実かつ効率的に付着性流体容器内に充填する。【解決手段】  付着性流体を充填すべき管状体１１の端部に固定された一端１２ａ及び貫通孔１５を有する栓本体１２と、栓本体１２の貫通孔１５とほぼ同軸上に配置されるキャップ１３とを付着性流体容器１０に設ける。また、栓本体１２の外側に配置されかつ栓本体１２の他端１２ｂ及びキャップ１３を収容する凹部２２及び開口部２１ｂを備えたホルダ２１と、滑動可能にホルダ２１に支持されたスライダ２４とを充填装置に設ける。ホルダ２１の凹部２２内にキャップ１３を配置してホルダ２１の凹部２２に栓本体１２の他端１２ｂを嵌合し、ホルダ２１とキャップ１３との間から流体を管状体１１内に充填した後、直ちにかつ連続的にスライダ２４によりキャップ１３を移動してキャップ１３を栓本体１２内に挿入する。【選択図】図３
2004338812.tif 000002
【特許請求の範囲】
【請求項１】
付着性流体を充填すべき管状体の端部に固定された一端及び貫通孔を有する栓本体と、栓本体の貫通孔とほぼ同軸上に配置されるキャップとを備えた付着性流体容器において、栓本体の外側に配置されかつ栓本体の他端及びキャップを収容する凹部及び開口部を備えたホルダと、滑動可能にホルダに支持されたスライダとを備え、管状体内に付着性流体を充填した後、スライダによりキャップを移動して栓本体にキャップを固定することを特徴とする付着性流体の充填装置。
【請求項２】
キャップを栓本体内に挿入した後、栓本体の他端にキャップを溶着する溶着ホーンを備えた請求項１に記載の付着性流体の充填装置。
【請求項３】
付着性流体は、栓本体の貫通孔を通じて管状体内に充填される着色剤と、ホルダの開口部を通じて管状体内に充填される流体とを含む請求項１又は２に記載の付着性流体の充填装置。
【請求項４】
付着性流体を充填すべき管状体の端部に固定された一端及び貫通孔を有する栓本体と、栓本体の貫通孔とほぼ同軸上に配置されるキャップとを備えた付着性流体容器を準備する工程と、
貫通孔を有する筒状本体及び筒状本体の中間部に形成されたフランジ部を備えた栓本体の一端を管状体の端部に嵌合しかつフランジ部を管状体の端部に当接して、栓本体を管状体の端部に固定する工程と、
ホルダの凹部内にキャップを配置してホルダの凹部に栓本体の他端を嵌合して、ホルダとキャップとの間から流体を管状体内に充填する工程と、
ホルダの貫通孔に配置されたスライダによりキャップを栓本体内に挿入する工程と、
栓本体の他端にキャップを溶着して、栓本体に対する密封状態でキャップの脱落を阻止する工程とを含むことを特徴とする付着性流体の充填法。
【請求項５】
ホルダの端部を栓本体のフランジ部に当接して流体を管状体内に充填する請求項４に記載の付着性流体の充填法。
【請求項６】
付着性流体を充填すべき管状体の端部に固定された一端及び貫通孔を有する栓本体と、栓本体の貫通孔とほぼ同軸上に配置されるキャップとを備えた付着性流体容器を準備する工程と、
貫通孔を有する筒状本体及び筒状本体の中間部に形成されたフランジ部を備えた栓本体の一端を管状体の端部に嵌合しかつフランジ部を管状体の端部に当接させて、栓本体を管状体の端部に固定する工程と、
栓本体の貫通孔を通じて着色剤を管状体内に注入する工程と、
凹部を有するホルダの凹部内にキャップを配置してホルダの凹部に栓本体の他端を嵌合して、ホルダとキャップとの間から流体を管状体内に充填する工程と、
スライダによりキャップを栓本体内に挿入する工程と、
栓本体の他端をキャップに溶着して密封状態でキャップの脱落を阻止する工程とを含むことを特徴とする付着性流体の充填法。
【請求項７】
ホルダの端部を栓本体のフランジ部に当接して流体を管状体内に充填する請求項６に記載の付着性流体の充填法。
【発明の詳細な説明】
【技術分野】
【０００１】
この発明は、付着性流体容器への流体の充填装置、特に付着性流体を充填した付着性流体容器に不正に損傷が与えられたときに、付着性流体が外部に放出される付着性流体用容器への付着性流体の充填装置及び充填法に関連する。
【背景技術】
【０００２】
例えば、下記特許文献１に示される盗難防止装置は、永久的に接着され又は強く不快な臭いを発生する物質を含み、布、皮、皮製品及び同様な材料から作られる物品に固定される盗難防止装置が開示されている。この盗難防止装置は、過度な外力が加えられたとき、閉空間が破壊され、閉空間から接着性物質又は臭気性物質が放出され、これにより物品の盗難を防止することができる。
【０００３】
また、下記特許文献２には、紙吹雪などの小片を放出して、相手に付着させることにより犯罪を防止する携帯用犯罪防止器が提案されている。この携帯用犯罪防止器は、吹出孔を形成した収納ケースと、収納ケース内に収容された多数の小片及び回転翼と、回転翼を収納ケース内で回転させる駆動部とを備え、スイッチを作動したときに駆動部が作動され、回転翼の回転により多数の小片が外部に放出される。
【０００４】
【特許文献１】特公昭６３−２５３９７号公報
【特許文献２】実開平６−３３２９４号公報
【発明の開示】
【発明が解決しようとする課題】
【０００５】
現在、自転車又はバイク等の二輪車には、ロック装置にワイヤを着脱自在に装着したワイヤロック装置が使用されているが、実際にワイヤの切断による二輪車の盗難を有効に防止することができない。ロック装置にループ状に接続された連結部材に不正に損傷を与えたとき、塗料、染料若しくは顔料又はインキ等の付着性物質を含む液化石油ガス（ＬＰＧ）等の流体が連結部材から外部に放出される管状体が提案されているが、液化石油ガスは揮発性が高いため、管状体内に効率的に流体を充填する方法は現在提案されていない。
【０００６】
そこで、この発明は、付着性流体を確実かつ効率的に付着性流体容器内に充填できる付着性流体の充填装置及び充填法を提供することを目的とする。また、この発明は、量産機による自動化が可能であり、作業員が流体又は着色剤により汚染される作業を回避することができる付着性流体の充填装置及び充填法を提供することを目的とする。
【課題を解決するための手段】
【０００７】
この発明の付着性流体の充填装置は、付着性流体を充填すべき管状体(11)の端部に固定された一端(12a)及び貫通孔(15)を有する栓本体(12)と、栓本体(12)の貫通孔(15)とほぼ同軸上に配置されるキャップ(13)とを備えた付着性流体容器(10)において、栓本体(12)の外側に配置されかつ栓本体(12)の他端(12b)及びキャップ(13)を収容する凹部(22)及び開口部(21b)を備えたホルダ(21)と、滑動可能にホルダ(21)に支持されたスライダ(24)とを備え、管状体(11)内に付着性流体を充填した後、スライダ(24)によりキャップ(13)を移動して栓本体(12)にキャップ(13)を固定する。
【０００８】
この発明の付着性流体の充填法は、付着性流体を充填すべき管状体(11)の端部に固定された一端(12a)及び貫通孔(15)を有する栓本体(12)と、栓本体(12)の貫通孔(15)とほぼ同軸上に配置されるキャップ(13)とを備えた付着性流体容器(10)を準備する工程と、貫通孔(15)を有する筒状本体(14)及び筒状本体(14)の中間部に形成されたフランジ部(16)を備えた栓本体(12)の一端(12a)を管状体(11)の端部に嵌合しかつフランジ部(16)を管状体(11)の端部に当接して、栓本体(12)を管状体(11)の端部に固定する工程と、ホルダ(21)の凹部(22)内にキャップ(13)を配置してホルダ(21)の凹部(22)に栓本体(12)の他端(12b)を嵌合して、ホルダ(21)とキャップ(13)との間から流体を管状体(11)内に充填する工程と、ホルダ(21)の貫通孔(21c)に配置されたスライダ(24)によりキャップ(13)を栓本体(12)内に挿入する工程と、栓本体(12)の他端(12b)にキャップ(13)を溶着して、栓本体(12)に対する密封状態でキャップ(13)の脱落を阻止する工程とを含む。
【０００９】
この発明の付着性流体の充填法は、付着性流体を充填すべき管状体(11)の端部に固定された一端(12a)及び貫通孔(15)を有する栓本体(12)と、栓本体(12)の貫通孔(15)とほぼ同軸上に配置されるキャップ(13)とを備えた付着性流体容器(10)を準備する工程と、貫通孔(15)を有する筒状本体(14)及び筒状本体(14)の中間部に形成されたフランジ部(16)を備えた栓本体(12)の一端(12a)を管状体(11)の端部に嵌合しかつフランジ部(16)を管状体(11)の端部に当接させて、栓本体(12)を管状体(11)の端部に固定する工程と、栓本体(12)の貫通孔(15)を通じて着色剤を管状体(11)内に注入する工程と、凹部(22)を有するホルダ(21)の凹部(22)内にキャップ(13)を配置してホルダ(21)の凹部(22)に栓本体(12)の他端(12b)を嵌合して、ホルダ(21)とキャップ(13)との間から流体を管状体(11)内に充填する工程と、スライダ(24)によりキャップ(13)を栓本体(12)内に挿入する工程と、栓本体(12)の他端(12b)をキャップ(13)に溶着して密封状態でキャップ(13)の脱落を阻止する工程とを含む。
【００１０】
この発明の付着性流体の充填装置及び充填法では、ホルダ(21)の凹部(22)内にキャップ(13)を配置してホルダ(21)の凹部(22)に栓本体(12)の他端(12b)を嵌合し、ホルダ(21)とキャップ(13)との間から流体を管状体(11)内に充填した後、直ちにかつ連続的にスライダ(24)によりキャップ(13)を移動してキャップ(13)を栓本体(12)内に挿入するので、管状体(11)の内部に効率的に流体を充填できると共に、栓本体(12)の他端(12b)を溶着して密封状態でキャップ(13)の脱落を阻止することができる。このため、流体の揮発及び漏洩が発生せず、効率的に管状体(11)に流体を充填することができる。不正に損傷が与えられない限り、管状体(11)内に充填された付着性流体の揮発及び漏洩が発生しない。
【発明の効果】
【００１１】
この発明では、付着性流体を確実かつ効率的に管状体内に充填できるので、量産機による自動化が可能であり、作業員が付着性流体又は着色剤により汚染される作業を回避することができる。
【発明を実施するための最良の形態】
【００１２】
以下、この発明による付着性流体の充填装置及び充填法の実施の形態を図１〜図５について説明する。
【００１３】
図１に示す盗難防止装置の一部としての付着性流体用容器１０は、管状体１１と、管状体１１の端部に固定される栓本体１２と、栓本体１２に固定されるキャップ１３とを有する。管状体１１は、金属製パイプ又は可撓性の管部材により成形される。可撓性の管部材を使用する場合には、管部材は、チューブと、チューブ上に順次形成された弾性を有する保護ライナ層と、コイル状の鋼線を埋設した鋼線コイル層と、鋼細線製又は繊維製紐状のメッシュ層と、外装樹脂被覆層とを備えている。管状体１１内には液化石油ガス（ＬＰＧ）と、液化石油ガス内に混入された塗料、染料若しくは顔料、インキ又は塗料とを含む人体に無害の２液性流体が８０〜９０％の充填率で充填される。本明細書では、液化石油ガス等の流体と着色剤との混合物を付着性流体と呼ぶ。管状体１１の両端を溶着により密閉することにより、付着性流体はほぼ完全に管状体１１内に保持される。何らかの工具で、管状体１１を切断すると、切断と同時に内部の付着性流体が飛散して、付着性物質が外部の物体に付着するので、盗難を阻止することができる。付着性流体用容器１０は、例えば実開昭６３−２０１１７４号公報に開示された自転車錠、実開昭６０−１１９７５号公報に開示されたワイヤロック又は実開平５−４０５６１号公報に開示されたワイヤロックと同様に使用することができる。
【００１４】
栓本体１２は貫通孔１５を有する筒状本体１４及び筒状本体１４の中間部に形成されたフランジ部１６を備えている。フランジ部１６を管状体１１の端部に当接した状態で、栓本体１２の一端１２ａは管状体１１内に嵌合されかつ固定される。栓本体１２の貫通孔１５内にはキャップ１３が栓本体１２の他端１２ｂから装着され密封状態で固定される。
【００１５】
図２〜図５は、栓本体１２及びキャップ１３を管状体１１に固着する一連の工程を示す工程図である。まず、図２に示すように、栓本体１２の一端１２ａを管状体１１内に嵌合しかつフランジ部１６を管状体１１の端部に当接して、栓本体１２を管状体１１の端部に固定する。栓本体１２は溶着又は接着剤により管状体１１に固着される。次に、パイプ２０を貫通孔１５内に挿入して、栓本体１２の貫通孔１５を通じて塗料、染料、顔料又はインキから選択される着色剤を管状体１１内に注入する。続いて、パイプ２０を除去し、図３に示すように、ホルダ２１の凹部２２内にキャップ１３を配置してホルダ２１の凹部２２に栓本体１２の他端１２ｂを嵌合する。この場合、ホルダ２１の端部２１ａを栓本体１２のフランジ部１６に当接して、ホルダ２１を栓本体１２に確実に固定する。また、ホルダ２１の環状凹部２１ｄには、栓本体１２の他端１２ｂと接触するシール部材２５が設けられる。この状態で、ホルダ２１に形成された開口部２１ｂから液化石油ガス等の流体を管状体１１内に注入する。開口部２１ｂを通る流体は、ホルダ２１とキャップ１３との間の間隙２３から流体が管状体１１内に充填される。間隙２３を形成するため、凹部２２内に溝を形成するとよい。その後、図４に示すように、ホルダ２１の貫通孔２１ｃに配置されたスライダ２４によりキャップ１３を栓本体１２内に挿入する。最後に、図５に示すように、溶着ホーン２６により栓本体１２の他端１２ｂを溶着して密封状態でキャップ１３の脱落を阻止する。加熱された溶着ホーン２６は底部に環状溝部２６ａが形成され、環状溝部２６ａ内に栓本体１２の他端１２ｂが装着され、溶着ホーン２６は栓本体１２に圧着される。
【００１６】
本実施例では、ホルダ２１の凹部２２内にキャップ１３を配置した後、ホルダ２１の凹部２２に栓本体１２の他端１２ｂを嵌合して、ホルダ２１とキャップ１３との間から流体を管状体１１内に充填するので、管状体１１内に流体を充填した後、直ちにかつ連続的にスライダ２４によりキャップ１３を栓本体１２内に挿入し、栓本体１２の他端１２ｂを溶着して密封状態でキャップ１３の脱落を阻止することができる。このため、付着性流体の揮発及び漏洩が発生せず、効率的に管状体１１に付着性流体を充填することができる。
【産業上の利用可能性】
【００１７】
盗難防止装置として付着性流体容器を製造する際に、確実かつ効率的に管状体内に付着性流体を充填し、量産機による自動化が可能であり、作業員が付着性流体又は着色剤により汚染される作業を回避できる。
【図面の簡単な説明】
【００１８】
【図１】付着性流体容器への付着性流体の充填法を適用できる盗難防止装置の一部としての付着性流体用容器の正面図
【図２】栓本体を管状体に固定した状態を示す断面図
【図３】流体を管状体内に充填する状態を示す断面図
【図４】キャップを栓本体内に押圧する状態を示す断面図
【図５】栓本体を溶着により密封する状態を示す断面図
【符号の説明】
【００１９】
１０・・付着性流体用容器、  １１・・管状体、  １２・・栓本体、  １２ａ・・一端、  １２ｂ・・他端、  １３・・キャップ、  １４・・筒状本体、  １５・・貫通孔、  １６・・フランジ部、  ２０・・パイプ、  ２１・・ホルダ、  ２２・・凹部、  ２４・・スライダ、２５・・シール部材、  ２６・・溶着ホーン、
【図１】
2004338812.tif 000003
【図２】
2004338812.tif 000004
【図３】
2004338812.tif 000005
【図４】
2004338812.tif 000006
【図５】
2004338812.tif 000007